(57)【要約】【課題】表示パネルの回路接地電圧ＥＬＶＳＳを制御することで、表示パネルの消費電力を低減する。【解決手段】一実施形態によれば、表示ドライバは、画像解析回路部と、補正後特徴値算出回路部と、制御値生成回路部と、を備える。画像解析回路部は、入力画像データを解析して特徴値を算出する。補正後特徴値算出回路部は、所望のディスプレイ輝度値に応じて特徴値を補正して補正後特徴値を算出する。制御値生成回路部は、特定のディスプレイ輝度値について、表示パネルの回路接地電圧の制御値と特徴値との対応関係を示す対応情報に基づいて、補正後特徴値から回路接地電圧の制御値を生成する。【選択図】図２
2020060650.tif 000002
【特許請求の範囲】
【請求項１】
入力画像データを解析して特徴値を算出する画像解析回路部と、
所望のディスプレイ輝度値に応じて前記特徴値を補正して補正後特徴値を算出する補正後特徴値算出回路部と、
特定のディスプレイ輝度値について、表示パネルの回路接地電圧の制御値と前記特徴値との対応関係を示す第１対応情報に基づいて、前記補正後特徴値から前記回路接地電圧の制御値を生成する制御値生成回路部と、
を備える
表示ドライバ。
【請求項２】
前記特定のディスプレイ輝度値について、前記表示パネルの回路接地電圧の制御値と前記特徴値との対応関係を示す前記第１対応情報を有する第１ＬＵＴをさらに備え、
前記制御値生成回路部は、前記第１ＬＵＴを参照して、前記補正後特徴値から前記回路接地電圧の前記制御値を生成する
請求項１に記載の表示ドライバ。
【請求項３】
前記第１対応情報は、前記回路接地電圧としてＰＭＩＣが出力可能な複数の候補値を含み、
前記回路接地電圧の前記制御値は、前記複数の候補値から、前記表示パネルに前記特定のディスプレイ輝度値が設定されている状態におけるガンマ特性に基づく前記補正後特徴値に対応する電圧値を超えないように、かつ、前記ガンマ特性における、入力画像データの最大輝度値に対応する電圧値を超えるように、決定される
請求項２に記載の表示ドライバ。
【請求項４】
前記第１対応情報は、前記回路接地電圧としてＰＭＩＣが出力可能な複数の候補値を含み、
前記回路接地電圧の前記制御値は、前記複数の候補値から、前記表示パネルに前記特定のディスプレイ輝度値が設定されている状態におけるガンマ特性に基づく前記補正後特徴値に対応する電圧値を超えない範囲で最大となるように決定される
請求項２に記載の表示ドライバ。
【請求項５】
前記特定のディスプレイ輝度値は、前記表示パネルに設定可能な最大のディスプレイ輝度値である
請求項３または４に記載の表示ドライバ。
【請求項６】
前記補正後特徴値算出回路部は、前記所望のディスプレイ輝度値に基づいて補正係数を算出し、前記特徴値および前記補正係数に基づいて前記補正後特徴値を算出する
請求項３〜５のいずれか一項に記載の表示ドライバ。
【請求項７】
前記所望のディスプレイ輝度値と前記補正係数との対応関係を示す第２対応情報を有する第２ＬＵＴをさらに備え、
前記補正後特徴値算出回路部は、前記第２ＬＵＴを参照して、前記所望のディスプレイ輝度値から前記補正係数を算出する
請求項６に記載の表示ドライバ。
【請求項８】
前記特徴値は、前記入力画像データの各画素における輝度値の平均値および最大値の加重平均値である
請求項３〜７のいずれか一項に記載の表示ドライバ。
【請求項９】
前記補正後特徴値算出回路部は、前記特徴値および前記補正係数を乗算して前記補正後特徴値を算出する乗算器を備える
請求項６〜８のいずれか一項に記載の表示ドライバ。
【請求項１０】
前記回路接地電圧の前記制御値を前記ＰＭＩＣに伝達する制御信号を生成する制御信号生成回路部をさらに備える
請求項３〜９のいずれか一項に記載の表示ドライバ。
【請求項１１】
前記表示パネルに設定されたディスプレイ輝度値に応じて、前記表示パネルに含まれる画素回路における発光期間および非発光期間の比率を変更することで、前記表示パネルの輝度を制御するエミッション制御回路部
をさらに備える
請求項１〜１０のいずれか一項に記載の表示ドライバ。
【請求項１２】
表示パネルと、前記表示パネルを駆動する表示ドライバとを備え、
前記表示ドライバは、
入力画像データを解析して特徴値を算出する画像解析回路部と、
所望のディスプレイ輝度値に応じて前記特徴値を補正して補正後特徴値を算出する補正後特徴値算出回路部と、
特定のディスプレイ輝度値について、前記表示パネルの回路接地電圧の制御値と前記特徴値との対応関係を示す対応情報に基づいて、前記補正後特徴値から前記回路接地電圧の制御値を生成する制御値生成回路部と、
を備える
表示モジュール。
【請求項１３】
前記特定のディスプレイ輝度値について、前記表示パネルの回路接地電圧の制御値と前記特徴値との対応関係を示す前記対応情報を有するＬＵＴをさらに備え、
前記制御値生成回路部は、前記ＬＵＴを参照して、前記補正後特徴値から前記回路接地電圧の前記制御値を生成する
請求項１２に記載の表示モジュール。
【請求項１４】
入力画像データを解析して特徴値を算出することと、
所望のディスプレイ輝度値に応じて前記特徴値を補正して補正後特徴値を算出することと、
特定のディスプレイ輝度値について、表示パネルの回路接地電圧の制御値と前記特徴値との対応関係を示す第１対応情報に基づいて、前記補正後特徴値から前記回路接地電圧の制御値を生成することと、
を含む
表示方法。
【請求項１５】
前記特定のディスプレイ輝度値について、前記表示パネルの回路接地電圧の制御値と前記特徴値との対応関係を示す前記第１対応情報を有する第１ＬＵＴを参照して、前記補正後特徴値から前記回路接地電圧の前記制御値を生成する
請求項１４に記載の表示方法。
【請求項１６】
前記第１対応情報は、前記回路接地電圧としてＰＭＩＣが出力可能な複数の候補値を含み、
前記回路接地電圧の前記制御値は、前記複数の候補値から、前記表示パネルに前記特定のディスプレイ輝度値が設定されている状態におけるガンマ特性に基づく前記補正後特徴値に対応する電圧値を超えないように、かつ、前記ガンマ特性における、入力画像データの最大輝度値に対応する電圧値を超えるように、決定される
請求項１５に記載の表示方法。
【請求項１７】
前記第１対応情報は、前記回路接地電圧としてＰＭＩＣが出力可能な複数の候補値を含み、
前記回路接地電圧の制御値は、前記複数の候補値から、前記表示パネルに前記特定のディスプレイ輝度値が設定されている状態におけるガンマ特性に基づく前記補正後特徴値に対応する電圧値を超えない範囲で最大となるように決定される
請求項１５に記載の表示方法。
【請求項１８】
前記特定のディスプレイ輝度値は、前記表示パネルに設定可能な最大のディスプレイ輝度値である
請求項１４〜１７のいずれか一項に記載の表示方法。
【請求項１９】
前記補正後特徴値を算出することは、
前記表示パネルに設定されているディスプレイ輝度値に基づいて補正係数を算出することと、
前記特徴値および前記補正係数に基づいて前記補正後特徴値を算出することと
を含む
請求項１４〜１８のいずれか一項に記載の表示方法。
【請求項２０】
前記補正係数を算出することは、
前記表示パネルに設定されているディスプレイ輝度値と、前記表示パネルの回路接地電圧との対応関係を示す第２対応情報を有する第２ＬＵＴを参照して、前記表示パネルに設定されているディスプレイ輝度値から前記補正係数を算出すること
を含む
請求項１９に記載の表示方法。
【発明の詳細な説明】
【技術分野】
【０００１】
本開示は表示ドライバ、表示モジュールおよび表示方法に関する。
【背景技術】
【０００２】
表示パネルの回路接地電圧を制御することで、消費電力を低減できる。
【発明の概要】
【０００３】
一実施形態によれば、表示ドライバは、画像解析回路部と、補正後特徴値算出回路部と、制御値生成回路部と、を備える。画像解析回路部は、入力画像データを解析して特徴値を算出する。補正後特徴値算出回路部は、所望のディスプレイ輝度値に応じて特徴値を補正して補正後特徴値を算出する。制御値生成回路部は、特定のディスプレイ輝度値について、表示パネルの回路接地電圧の制御値と特徴値との対応関係を示す対応情報に基づいて、補正後特徴値から回路接地電圧の制御値を生成する。
【図面の簡単な説明】
【０００４】
【図１】一実施形態による表示装置の一構成例を概略的に示すブロック回路図である。
【図２】一実施形態による回路接地電圧制御回路部の一構成例を概略的に示すブロック回路図である。
【図３】一実施形態による画像解析回路部が、入力画像データから表示輝度上限値を算出する方法に係る、輝度ヒストグラムの一例である。
【図４】一実施形態による補正係数算出用ＬＵＴが有する、ディスプレイ輝度値および回路接地電圧上限値の対応関係の一例を示すグラフである。
【図５】一実施形態による制御値生成用ＬＵＴが有する、補正後特徴値および回路接地電圧の制御値の対応関係の一例を示すグラフである。
【図６】一実施形態によるガンマ制御およびエミッション制御を併用して表示パネルの輝度を制御する場合の、ディスプレイ輝度値と回路接地電圧の対応関係の一例を示す図である。
【発明を実施するための形態】
【０００５】
一実施形態による図１に示す表示装置１は、表示ドライバ２と、ＰＭＩＣ（Ｐｏｗｅｒ  Ｍａｎａｇｅｍｅｎｔ  Ｉｎｔｅｇｒａｔｅｄ  Ｃｉｒｃｕｉｔ、電源管理集積回路）３と、表示パネル４とを備えている。一実施形態では、表示パネル４と、表示パネル４を駆動する表示ドライバ２とを総称して、表示モジュール１１とも呼ぶ。表示装置１は、図示しないホストから受け取った入力画像データに対応する画像を表示パネル４に表示するように構成されている。一実施形態では、表示パネル４は、ＯＬＥＤ（Ｏｒｇａｎｉｃ  Ｌｉｇｈｔ  Ｅｍｉｔｔｉｎｇ  Ｄｉｏｄｅ）パネルである。
【０００６】
一実施形態では、表示パネル４は、互いに平行なデータライン４１と、互いに平行なスキャンライン４２と、データライン４１およびスキャンライン４２の交点に行列に配置された画素回路４３と、スキャンドライバ回路部４４と、スキャンライン４２に平行なエミッションライン４５とを備えている。各画素回路４３は、指定された階調値に対応する輝度で発光するように構成されている。
【０００７】
一実施形態では、スキャンドライバ回路部４４は、スキャンライン４２およびエミッションライン４５を駆動して、書き込み動作が行われる画素回路４３の行を選択するように構成されている。一実施形態では、スキャンドライバ回路部４４は、表示ドライバ２から受け取ったエミッション制御信号に応じてエミッションライン４５を駆動して、画素回路４３の発光および非発光を制御する。エミッション制御信号は、画素回路４３の点灯の許可または禁止を指定する信号である。エミッション制御信号は、書き込み動作を行う際に対象となる画素回路４３の点灯を禁止するために使用される。エミッション制御信号は、さらに、画素回路４３が発光する時間の比率を変動させることによって表示パネル４全体の輝度を調節するためにも使用される。
【０００８】
一実施形態では、ＰＭＩＣ３は、表示ドライバ２から制御信号を受け取り、回路接地電圧ＥＬＶＳＳと、図示しない電源電圧とを生成して、表示パネル４に供給する。
【０００９】
一実施形態では、表示ドライバ２は、インタフェース２１と、画像処理回路部２２と、データドライバ回路部２３とを備えている。一実施形態では、インタフェース２１は、外部のホストから入力画像データおよび各種制御データを受け取って、画像処理回路部２２に送信する。
【００１０】
一実施形態では、画像処理回路部２２は、インタフェース２１から入力画像データを受け取り、入力画像データに応じて表示モジュール１１のガンマ特性を制御する。ここで、ガンマ特性とは、入力画像データの階調値と、画素回路４３に出力される電圧値との対応関係の特性である。一実施形態では、画像処理回路部２２は、受け取った入力画像データの各画素の階調値から、各画素にそれぞれ対応する各画素回路４３を駆動するための駆動電圧を算出し、データドライバ回路部２３に送信する。
【００１１】
一実施形態では、データドライバ回路部２３は、表示パネル４のデータライン４１（ソースラインとも呼ぶことができる）を介して、スキャンライン４２によって選択されている各画素回路４３のそれぞれに、画像処理回路部２２から受け取った、対応する駆動電圧を書き込む。
【００１２】
一実施形態では、画像処理回路部２２は、回路接地電圧制御回路部２２２を備え、回路接地電圧制御回路部２２２は、制御信号を生成し、ＰＭＩＣ３に送信する。制御信号は、表示パネル４に供給される回路接地電圧ＥＬＶＳＳを制御するための情報を表す。
【００１３】
一実施形態では、画像処理回路部２２は、エミッション制御回路部２２１を備え、エミッション制御回路部２２１は、画素回路４３への駆動電圧書き込みのタイミングに合わせて、エミッション制御信号を生成し、スキャンドライバ回路部４４に送信する。
【００１４】
一実施形態では、ＰＭＩＣ３は、回路接地電圧生成回路部３１を備え、回路接地電圧生成回路部３１は、画像処理回路部２２の回路接地電圧制御回路部２２２から受け取った制御信号に基づいて、回路接地電圧ＥＬＶＳＳを生成し、表示パネル４に供給する。一実施形態では、ＰＭＩＣ３は、さらに、図示しない電源電圧生成回路部を備える。電源電圧生成回路部は、電源電圧を生成して表示パネル４に供給する。電源電圧生成回路部は、ＰＭＩＣ３とは別に設けられてもよい。
【００１５】
図２に示す一実施形態において、画像処理回路部２２の回路接地電圧制御回路部２２２は、画像解析回路部５０と、補正後特徴値算出回路部５１と、制御値生成回路部５５と、制御信号生成回路部５７とを備えている。
【００１６】
一実施形態では、画像解析回路部５０は、表示パネル４に表示するための入力画像データを解析してその特徴値を算出する。一実施形態では、入力画像データに含まれる各画素の輝度値の分布は、図３に示すような輝度ヒストグラムを生成する。輝度ヒストグラムの横軸は、解析対象である入力画像データに含まれる画素の輝度値を示す。輝度ヒストグラムの縦軸は、解析対象としての入力画像データのうち、輝度値が同じである画素の総数を示す。一実施形態において、画像解析回路部５０は、入力画像データを解析し、入力画像データに含まれる全ての画素のそれぞれについて輝度値を算出する。一実施形態において、画像解析回路部５０は、算出した輝度値の平均値および最大値を算出し、平均値および最大値の加重平均値を、入力画像データの特徴値として算出する。一実施形態では、輝度値の平均値は、平均画像レベルＡＰＬ（Ａｖｅｒａｇｅ  Ｐｉｃｔｕｒｅ  Ｌｅｖｅｌ）である。
【００１７】
一実施形態において、加重平均値は、加重比率に基づき算出される。加重比率は、レジスタなどの記憶装置５０１に格納され、画像解析回路部５０はこの記憶装置５０１から加重比率を読み出しても良い。加重比率の値は、記憶装置５０１に格納されている加重比率を書き換えることで調整可能であってもよい。
【００１８】
一実施形態では、加重比率が０以上かつ１以下の値として与えられ、この場合、特徴値は、平均値、最大値、加重比率、加重平均値に基づいて、以下の数式に従って算出されてもよい。
特徴値  ＝  加重平均値  ＝（平均値×加重比率）＋（最大値×（１−加重比率））
【００１９】
一実施形態では、入力画像データの中で特徴値より高い輝度値を有する画素に対応する画素回路４３は、特徴値に対応する輝度で表示される。その一方で、入力画像データが表す画像を表示する際に表示パネル４の最大輝度を下げることができる。このことは、後述するように、表示パネル４の回路接地電圧ＥＬＶＳＳを上げられることに繋がり、表示パネル４の消費電力の節約にも繋がる。
【００２０】
一実施形態では、平均値が、特徴値として用いられてもよい。これは、加重比率が１に等しい場合に相当する。別の一実施形態では、最大値が、特徴値として用いられてもよい。これは、加重比率が０に等しい場合に相当する。
【００２１】
一実施形態において、補正後特徴値算出回路部５１は、補正係数算出回路部５２と、補正回路部５４とを備える。補正係数算出回路部５２は、所望のディスプレイ輝度値ＤＢＶを表すディスプレイ輝度値ＤＢＶ信号に対応する補正係数を算出する。一実施形態では、所望のディスプレイ輝度値ＤＢＶは、表示パネル４に表示される画面の明るさを指定する値である。一実施形態では、ディスプレイ輝度値ＤＢＶは、ユーザによる操作に応じてホストによって指定されてもよく、また、ホストによって指定されたディスプレイ輝度値に基づいて表示ドライバ２の内部で決定されてもよい。表示パネル４を観察するユーザにより、画面の明るさの調整が求められた場合、ユーザによる入力デバイスの操作に応じてディスプレイ輝度値ＤＢＶが調節されてもよい。
【００２２】
一実施形態では、補正係数算出回路部５２は、補正係数算出用ＬＵＴ５３を備える。図４は、一実施形態に従い、補正係数算出用ＬＵＴ５３の一例を示す。補正係数算出用ＬＵＴ５３は、ディスプレイ輝度値ＤＢＶと、このディスプレイ輝度値ＤＢＶに対応する補正係数との対応関係を示す対応情報を有している。図４のグラフにおいて、横軸はディスプレイ輝度値ＤＢＶを示し、縦軸は補正係数を示している。ここで、ディスプレイ輝度値ＤＢＶと、補正係数との対応関係は、表示モジュール１１のガンマ特性に基づいている。図４の例では、ディスプレイ輝度値ＤＢＶが最大値の半分であるとき、補正係数は約７３％である。このことは、ディスプレイ輝度値ＤＢＶがその最大値の半分であるとき、表示パネル４の輝度がその最大値の約７３％であることに対応する。補正係数算出用ＬＵＴ５３は、表示モジュール１１のガンマ特性に基づいて、ディスプレイ輝度値ＤＢＶに対応する補正係数を、補正係数算出回路部５２が参照することによって、読み出し可能に格納している。一実施形態では、補正係数算出回路部５２は、ディスプレイ輝度値ＤＢＶを表すディスプレイ輝度値ＤＢＶ信号を外部から入力し、このディスプレイ輝度値ＤＢＶに対応する補正係数を補正係数算出用ＬＵＴ５３から読み出して、補正回路部５４に出力する。
【００２３】
一実施形態において、補正回路部５４は、特徴値および補正係数を乗算して補正後特徴値を算出する。一実施形態において、補正回路部５４は、乗算器を備える。
【００２４】
一実施形態において、制御値生成回路部５５は、補正後特徴値に基づき、回路接地電圧ＥＬＶＳＳの制御値を生成する。一実施形態において、制御値生成回路部５５は、制御値生成用ＬＵＴ５６を備えており、この制御値生成用ＬＵＴ５６を用いて回路接地電圧ＥＬＶＳＳを制御するための制御値を生成する。
【００２５】
一実施形態では、制御値生成用ＬＵＴ５６は、特定のディスプレイ輝度値について、入力画像データの補正後特徴値と、この補正後特徴値に対応する回路接地電圧ＥＬＶＳＳの制御値との対応関係を示す対応情報を有している。図５は、制御値生成用ＬＵＴ５６の一例を示す。横軸は入力画像データの補正後特徴値を示し、縦軸は回路接地電圧ＥＬＶＳＳを制御するための制御値を示している。
【００２６】
一実施形態では、制御値生成用ＬＵＴ５６が有する対応情報は、表示パネル４に特定のディスプレイ輝度値が設定されているときの、表示モジュール１１のガンマ特性に基づいている。一実施形態では、この特定のディスプレイ輝度値は、表示モジュール１１に設定可能な最大のディスプレイ輝度値であってもよい。
【００２７】
一実施形態では、制御値生成回路部５５は、補正後特徴値を入力すると、入力された補正後特徴値を参照して制御値生成用ＬＵＴ５６に対してテーブルルックアップを行い、この補正後特徴値に対応する回路接地電圧ＥＬＶＳＳの制御値を生成して制御信号生成回路部５７に向けて送信する。
【００２８】
一実施形態において、ＰＭＩＣ３が回路接地電圧ＥＬＶＳＳとして出力可能な電圧の間隔は、比較的粗い。この場合、回路接地電圧ＥＬＶＳＳとして選択され得る電圧を指定するための制御値の候補値は、図５のグラフの縦軸上に離散的に分布している。一実施形態では、制御値生成用ＬＵＴ５６が有する対応情報には、回路接地電圧ＥＬＶＳＳとしてＰＭＩＣ３が出力可能な複数の候補値が含まれている。
【００２９】
一実施形態では、回路接地電圧ＥＬＶＳＳの制御値は、これら複数の候補値のうち、表示パネル４に特定のディスプレイ輝度値が設定されている状態の、表示モジュール１１のガンマ特性における補正後特徴値に対応する電圧値を超えないように決定される。一実施形態では、この制御値は、このガンマ特性に基づく、入力画像データの最大輝度値に対応する電圧値を超えるように決定してもよい。このときは、入力画像データに含まれる画素のうち、特徴値より大きく、かつ、最大輝度値以下である輝度値を有する画素に対応する画素回路４３は、特徴値に対応する輝度で表示されるが、その一方で、表示パネル４の消費電力を節約できる。
【００３０】
一実施形態では、回路接地電圧ＥＬＶＳＳの制御値は、これら複数の候補値のうち、表示パネル４に特定のディスプレイ輝度値が設定されている状態の、表示モジュール１１のガンマ特性に基づく補正後特徴値に対応する電圧値を超えない範囲で最大となるように決定される。
【００３１】
一実施形態では、制御信号生成回路部５７は、制御値を表す制御信号を生成してＰＭＩＣ３に伝達する。一実施形態では、制御信号は、パルス信号である。この実施形態では、離散的に分布している候補値のそれぞれに番号を付けておくことで、制御値がどの番号の候補値に等しいかを、１つのパルス信号に含まれるパルスの数で表すことができる。
【００３２】
一実施形態において、制御信号は、ＰＭＩＣ３の回路接地電圧生成回路部３１に送信される。回路接地電圧生成回路部３１は、制御信号に応じて、制御信号が表す回路接地電圧ＥＬＶＳＳを生成して表示パネル４に供給する。
【００３３】
上記のような回路接地電圧制御回路部２２２によれば、特定のディスプレイ輝度値の場合、例えば、ディスプレイ輝度値が１００％である１つの場合について回路接地電圧ＥＬＶＳＳの制御値を出力可能に設定された制御値生成回路部５５を用いて、ディスプレイ輝度値ＤＢＶが異なる場合、例えば１００％より低いいかなるディスプレイ輝度値ＤＢＶにおいても、回路接地電圧ＥＬＶＳＳの制御値を適切に生成することが可能となる。
【００３４】
一実施形態では、表示パネル４の輝度を制御するにあたって、ガンマ特性の制御のみならず、エミッション制御回路部２２１を介するエミッション制御を併用してもよい。図６は、表示パネル４に設定されているディスプレイ輝度値ＤＢＶの一例を示す。一実施形態において、ディスプレイ輝度値ＤＢＶが所定の閾値Ｔ以上である場合には、表示装置１が、表示モジュール１１のガンマ特性を制御することによって表示パネル４の輝度を制御し、さらに、図４に示したように、当該ガンマ特性に整合するように回路接地電圧ＥＬＶＳＳを制御する。ディスプレイ輝度値ＤＢＶが取り得る値の範囲のうち、このような制御が行われる領域を、図６ではガンマ制御領域と記している。図６のガンマ制御領域は、図４の右側半分に等しい。
【００３５】
ディスプレイ輝度値ＤＢＶが所定の閾値Ｔ以下である場合には、表示モジュール１１が、エミッション制御信号を介して表示パネル４の各画素回路４３の発光期間および非発光期間の比率を変更することによって、表示パネル４の輝度を制御する。ディスプレイ輝度値ＤＢＶが取り得る値の範囲のうち、このような制御が行われる領域を、図６では、エミッション制御領域と記している。図６のエミッション制御領域では、回路接地電圧ＥＬＶＳＳが一様である。
【００３６】
一実施形態では、表示モジュール１１のガンマ特性制御と、表示パネル４の各画素回路４３の発光期間および非発光期間の比率の制御とを、同時に行うことで、表示パネル４の輝度を制御することも可能である。一実施形態では、表示パネル４の輝度の制御を、ガンマ特性の制御によって行うか、エミッション制御によって行うか、両方の制御を併用して行うか、の選択を、表示パネル４に設定されたディスプレイ輝度値ＤＢＶに応じて行う。
【００３７】
以上には、本開示の様々な実施形態が具体的に記載されているが、本開示に記載された技術は、様々な変更と共に実施され得る。例えば、上記実施形態は、ＯＬＥＤ表示パネル以外にも、各画素回路に回路接地電圧が供給される構成の様々な表示パネルに適用可能である。
【符号の説明】
【００３８】
１  表示装置
１１  表示モジュール
２  表示ドライバ
２１  インタフェース
２２  画像処理回路部
２２１  エミッション制御回路部
２２２  回路接地電圧制御回路部
２３  データドライバ回路部
３  ＰＭＩＣ
３１  回路接地電圧生成回路部
４  表示パネル
４１  データライン
４２  スキャンライン
４３  画素回路
４４  スキャンドライバ回路部
４５  エミッションライン
５０  画像解析回路部
５０１  記憶装置
５１  補正後特徴値算出回路部
５２  補正係数算出回路部
５３  補正係数算出用ＬＵＴ
５４  補正回路部
５５  制御値生成回路部
５６  制御値生成用ＬＵＴ
５７  制御信号生成回路部
【図１】
2020060650.tif 000003
【図２】
2020060650.tif 000004
【図３】
2020060650.tif 000005
【図４】
2020060650.tif 000006
【図５】
2020060650.tif 000007
【図６】
2020060650.tif 000008